(57)【要約】【課題】  輝度、彩度レベルおよび色相範囲に応じて原色信号をＲＧＢそれぞれ独立にゲイン調整することができる映像信号処理回路を実現する。【解決手段】  本発明の映像信号処理回路は、入力される輝度信号および色差信号に基づいて、ディスプレイ装置に表示するための原色信号を生成するＲＧＢ変換回路１１と、色差信号から彩度レベルと色相範囲を検出し、これらを彩度レベルデータおよび色相範囲データとして出力する彩度色相検出回路１２と、輝度信号、彩度レベルデータ、および色相範囲データに基づいて、原色信号を補正するためのゲイン係数を生成するゲイン係数作成回路１３〜１５と、ゲイン係数を用いて原色信号を補正し、ディスプレイ装置へ出力するＲＧＢゲイン制御回路１６を有する。【選択図】  図１
2006229616.tif 000002
【特許請求の範囲】
【請求項１】
入力される輝度信号および色差信号に基づいて、ディスプレイ装置に表示するための原色信号を生成するＲＧＢ変換手段と、
前記色差信号から彩度レベルと色相範囲を検出し、これらを彩度レベルデータおよび色相範囲データとして出力する彩度色相検出手段と、
前記輝度信号、前記彩度レベルデータ、および前記色相範囲データに基づいて、前記原色信号を補正するためのゲイン係数を生成するゲイン係数作成手段と、
前記ゲイン係数を用いて前記原色信号を補正し、前記ディスプレイ装置へ出力するゲイン制御手段を有することを特徴とする映像信号処理回路。
【請求項２】
入力される輝度信号および色差信号に基づいて、ディスプレイ装置に表示するための原色信号を生成するＲＧＢ変換手段と、
前記色差信号から彩度レベルを検出し、これを彩度レベルデータとして出力する彩度検出手段と、
前記輝度信号および前記彩度レベルデータに基づいて、前記原色信号を補正するためのゲイン係数を生成するゲイン係数作成手段と、
前記ゲイン係数を用いて前記原色信号を補正し、前記ディスプレイ装置へ出力するゲイン制御手段を有することを特徴とする映像信号処理回路。
【請求項３】
前記ＲＧＢ変換手段は、赤（Ｒ）、緑（Ｇ）、および青（Ｂ）に対応して３つの前記原色信号を生成し、
前記ゲイン係数作成手段は、前記３つの原色信号を独立して補正するためにそれぞれに対応した３つの前記ゲイン係数を生成することを特徴とする請求項１または請求項２に記載の映像信号処理回路。
【請求項４】
前記ゲイン係数作成手段は、前記輝度信号、前記彩度レベルデータ、および前記色相範囲データに基づいて特定されるアドレスにその入力レベルでの前記ゲイン係数が格納されている記憶手段を有することを特徴とする請求項１に記載の映像信号処理回路。
【請求項５】
入力される映像信号の画質を評価するために、所定の時間において前記輝度信号および前記色差信号の入力レベルに関するヒストグラムを生成するヒストグラム検出手段と、
前記ヒストグラム検出手段での前記映像信号の画質評価に合わせて前記原色信号の補正を行うために、前記記憶手段に格納する前記ゲイン係数を前記ヒストグラムに基づいて前記入力レベルごとに演算し、それらを前記記憶手段へ格納する演算手段をさらに有することを特徴とする請求項４に記載の映像信号処理回路。
【発明の詳細な説明】
【技術分野】
【０００１】
本発明は、カラーテレビジョン受像器における映像信号処理回路に関する。
【背景技術】
【０００２】
従来、カラーテレビジョン受像器の画質を改善するために、ディスプレイ装置を直接駆動する原色信号（「ＲＧＢ信号」ともいう。）を補正する白ピークブルー回路やドライブゲイン調整回路（例えば、特許文献１を参照。）などが用いられていた。白ピークブルー回路は、彩度の低い高輝度映像時にＲＧＢのＢ軸のみゲインを上げ、色温度をアップさせることで輝く白を演出する。また、ドライブゲイン調整回路は、全体の色温度をアップさせることで、ホワイトバランスを調整する。
【０００３】
しかしながら、従来の白ピークブルー回路は、図８に示したように、高輝度映像時（入力輝度レベルが図８に示した白ピークブルー開始ポイント以上の場合。）にＢ軸のゲインをアップさせているため、入力信号が持つ本来の明るさより出力レベルが明るくなってしまうという問題があった。さらに、従来の白ピークブルー回路は、図９に示したように、ＣＲＴなどのディスプレイ装置での振り込み過ぎ（出力レベルが図９に示したリミットレベルを超えた場合。）によるブルーミングを引き起こしたり、液晶、ＰＤＰあるいはＦＥＤといったデジタル信号によりドライブされる固定画素方式のディスプレイ装置においては、入力ダイナミックレンジ以上に入力信号レベルが入力された場合にホワイトバランスが崩れてしまうという問題があった。
【０００４】
また、図１０に示したように、従来のドライブゲイン調整回路は、映像に関係なく全体の色温度をアップさせるため、ホワイトバランス調整によりライトアップされている人の顔が青白くなってしまい不健康に見えてしまうという問題があった。
【特許文献１】特開２００１−１２８１９２号公報
【発明の開示】
【発明が解決しようとする課題】
【０００５】
本発明は、輝度、彩度レベルおよび色相範囲に応じて原色信号をＲＧＢそれぞれ独立にゲイン調整することができる映像信号処理回路を提供する。
【課題を解決するための手段】
【０００６】
本発明の一態様によれば、入力される輝度信号および色差信号に基づいて、ディスプレイ装置に表示するための原色信号を生成するＲＧＢ変換手段と、前記色差信号から彩度レベルと色相範囲を検出し、これらを彩度レベルデータおよび色相範囲データとして出力する彩度色相検出手段と、前記輝度信号、前記彩度レベルデータ、および前記色相範囲データに基づいて、前記原色信号を補正するためのゲイン係数を生成するゲイン係数作成手段と、前記ゲイン係数を用いて前記原色信号を補正し、前記ディスプレイ装置へ出力するゲイン制御手段を有することを特徴とする映像信号処理回路が提供される。
【０００７】
本発明の別の一態様によれば、入力される輝度信号および色差信号に基づいて、ディスプレイ装置に表示するための原色信号を生成するＲＧＢ変換手段と、前記色差信号から彩度レベルを検出し、これを彩度レベルデータとして出力する彩度検出手段と、前記輝度信号および前記彩度レベルデータに基づいて、前記原色信号を補正するためのゲイン係数を生成するゲイン係数作成手段と、前記ゲイン係数を用いて前記原色信号を補正し、前記ディスプレイ装置へ出力するゲイン制御手段を有することを特徴とする映像信号処理回路が提供される。
【発明の効果】
【０００８】
本発明によれば、輝度、彩度レベルおよび色相範囲に応じて原色信号をＲＧＢそれぞれ独立にゲイン調整することができる。
【発明を実施するための最良の形態】
【０００９】
以下、図面を参照しながら、本発明の実施例を説明する。
【実施例１】
【００１０】
図１は、本発明の実施例１に係わる映像信号処理回路を示す回路ブロック図である。ここでは、主に、３つの原色信号（ＲＧＢ信号ともいう。）の補正にかかわる部分を示した。
【００１１】
本発明の実施例１に係わる映像信号処理回路は、ＲＧＢ変換回路１１、彩度色相検出回路１２、３つのゲイン係数作成回路１３〜１５（以下、それぞれは「Ｒゲイン係数作成回路１３」、「Ｇゲイン係数作成回路１４」、および「Ｂゲイン係数作成回路１５」という。）、およびＲＧＢゲイン制御回路１６を備えている。
【００１２】
ＲＧＢ変換回路１１の第１の入力にはＹ入力からの輝度信号が入力され、第２の入力にはＣｂ入力からの色差信号が入力され、第３の入力にはＣｒ入力からの色差信号が入力されている。ＲＧＢ変換回路１１の第１の出力は第１の原色信号（以下、「Ｒ信号」という。）としてＲＧＢゲイン制御回路１６の第１の入力へ供給され、第２の出力は第２の原色信号（以下、「Ｇ信号」という。）としてＲＧＢゲイン制御回路１６の第２の入力へ供給され、第３の出力は第３の原色信号（以下、「Ｂ信号」という。）としてＲＧＢゲイン制御回路１６の第３の入力へ供給されている。
【００１３】
彩度色相検出回路１２の第１の入力にはＣｂ入力からの色差信号が入力され、第２の入力にはＣｒ入力からの色差信号が入力されている。彩度色相検出回路１２の第１の出力は彩度レベルデータとしてＲゲイン係数作成回路１３、Ｇゲイン係数作成回路１４、およびＢゲイン係数作成回路１５のそれぞれ第１の入力へ供給され、第２の出力は色相範囲データとしてＲゲイン係数作成回路１３、Ｇゲイン係数作成回路１４、およびＢゲイン係数作成回路１５のそれぞれ第２の入力へ供給されている。
【００１４】
Ｒゲイン係数作成回路１３の第３の入力にはＹ入力からの輝度信号が入力され、Ｒゲイン係数作成回路１３の出力はＲゲイン係数としてＲＧＢゲイン制御回路１６の第４の入力へ供給されている。
【００１５】
Ｇゲイン係数作成回路１４の第３の入力にはＹ入力からの輝度信号が入力され、Ｇゲイン係数作成回路１４の出力はＧゲイン係数としてＲＧＢゲイン制御回路１６の第５の入力へ供給されている。
【００１６】
Ｂゲイン係数作成回路１５の第３の入力にはＹ入力からの輝度信号が入力され、Ｂゲイン係数作成回路１５の出力はＢゲイン係数としてＲＧＢゲイン制御回路１６の第６の入力へ供給されている。
【００１７】
ＲＧＢゲイン制御回路１６の第１の出力は補正されたＲ信号としてＲ出力を介してディスプレイ装置（図示していない。）へ供給され、第２の出力は補正されたＧ信号としてＧ出力を介してディスプレイ装置へ供給され、第３の出力は補正されたＢ信号としてＢ出力を介してディスプレイ装置へ供給されている。
【００１８】
ＲＧＢ変換回路１１は、入力される輝度信号（Ｙ入力）および２つの色差信号（Ｃｂ入力、Ｃｒ入力）を３つの原色信号（Ｒ信号、Ｇ信号、およびＢ信号）に変換する。Ｒ信号はディスプレイ装置の赤色（Ｒｅｄ）発光部を駆動する信号である。同様に、Ｇ信号は緑色（Ｇｒｅｅｎ）発光部を駆動し、Ｂ信号は青色（Ｂｌｕｅ）発光部を駆動する。
【００１９】
彩度色相検出回路１２は、入力される２つの色差信号（Ｃｂ入力、Ｃｒ入力）から彩度レベルおよび色相範囲を検出し、これらを彩度レベルデータおよび色相範囲データとしてゲイン係数作成回路１３〜１５へ出力する。
【００２０】
Ｒゲイン係数作成回路１３は、Ｙ入力からの輝度信号と、彩度色相検出回路１２からの彩度レベルデータおよび色相範囲データとに基づいて、ＲＧＢ変換回路１１が出力するＲ信号に対して一定範囲ごとに入出力特性を補正するＲゲイン係数を生成する。
【００２１】
Ｇゲイン係数作成回路１４およびＢゲイン係数作成回路１５の構成、機能、および動作は、Ｒゲイン係数作成回路１３と同様である。Ｒゲイン係数作成回路１３との違いは、Ｇゲイン係数作成回路１４が、ＲＧＢ変換回路１１からのＧ信号を補正するＧゲイン係数を生成し、Ｂゲイン係数作成回路１５が、ＲＧＢ変換回路１１からのＢ信号を補正するＢゲイン係数を生成することである。
【００２２】
ＲＧＢゲイン制御回路１６は、Ｒ信号にＲゲイン係数を乗算し、所望の補正されたＲ信号を生成し、ディスプレイ装置へ出力する。さらに、ＲＧＢゲイン制御回路１６は、Ｇ信号にＧゲイン係数を乗算して所望の補正されたＧ信号を生成し、Ｂ信号にＢゲイン係数を乗算して所望の補正されたＢ信号を生成し、ディスプレイ装置へ出力する。
【００２３】
図２は、本発明の実施例１に係わる映像信号処理回路における補正を示す入出力特性図である。図２の横軸は入力レベルを示し、縦軸は出力レベルを示している。細い破線は従来の白ピークブルー回路を用いた場合のＢ軸の入出力特性を示し、太い実線は本発明の実施例１に係わる映像信号処理回路により補正されたＢ軸の入出力特性を示している。また、細い２点差線は従来の白ピークブルー回路を用いた場合のＲ軸およびＧ軸の入出力特性を示し、太い１点鎖線は本発明の実施例１に係わる映像信号処理回路により補正されたＲ軸およびＧ軸の入出力特性を示している。図２に示したＳ点は従来の白ピークブルー回路が動作し始める入力レベルを表している。
【００２４】
本発明の実施例１に係わる映像信号処理回路における補正は、Ｒ信号、Ｇ信号、およびＢ信号がそれぞれ独立に調整される。このため、例えば、図２に示したように、全体の明るさを変えずに白を強調したり、リミットレベルによるホワイトバランスの崩れを防ぐように、入出力特性を所望の形に設定することができる。
【００２５】
図２に示した（Ａ）および（Ｂ）は、ゲイン係数が異なる領域を表している。すなわち、より入力レベルの高い（Ｂ）では、ゲイン係数を（Ａ）に比べて徐々に下げることで、リミットレベルによりホワイトバランスが崩れることを抑制している。
【００２６】
次に、３つのゲイン係数（Ｒ／Ｇ／Ｂ）の具体例について説明する。図３は、本発明の実施例１に係わる映像信号処理回路のゲイン係数を示すイメージ図である。図３の横軸は入力輝度レベルを示し、縦軸はそれらを補正するためのゲイン係数を示している。太い実線はＢ軸の補正を行うＢゲイン係数を示し、太い１点鎖線はＧ軸およびＲ軸の補正を行うＧゲイン係数およびＲゲイン係数を示している。また、図３に示したＳ点は従来の白ピークブルー回路が動作し始める入力輝度レベルを表している。
【００２７】
本発明の実施例１にかかわる映像信号処理回路のゲイン係数は、例えば、図３に示したように、Ｓ点以上でＢゲイン係数を上げ、同時にＲゲイン係数およびＧゲイン係数を下げている。これにより、全体の明るさを保ったまま白を強調している。
【００２８】
また、入力輝度レベルが高い（Ｂ）の領域では、各ゲイン係数を（Ａ）より徐々に下げることで、上述したホワイトバランスの問題を改善している。
【００２９】
次に、別の具体例として肌色を表示する場合のゲイン係数について説明する。図４は、本発明の実施例１に係わる映像信号処理回路のゲイン係数を示す別のイメージ図である。図４の横軸は入力色相を示し、縦軸はそれらを補正するためのゲイン係数を示している。太い実線はＲ軸の補正を行うＲゲイン係数を示し、太い破線はＧ軸の補正を行うＧゲイン係数を示し、太い点線はＢ軸の補正を行うＢゲイン係数を示している。
【００３０】
肌色を表示する場合の本発明の実施例１に係わる映像信号処理回路におけるゲイン係数は、図４に示したように、肌色付近の色相範囲のＲゲイン係数を上げ、同時にＢゲイン係数を下げている。こうすることで、ホワイトバランスを調整した場合でも、人の顔が青白く不健康そうに見えることを回避している。
【００３１】
次に、ゲイン係数作成回路１３〜１５の一例として、ＲＡＭに所望のテンプレートデータを格納し、これを読み出してゲイン係数を作成する場合を説明する。図５は、本発明の実施例１に係わる映像信号処理回路におけるゲイン係数作成回路の詳細を示すイメージ図である。
【００３２】
本発明の実施例１に係わる映像信号処理回路におけるゲイン係数作成回路は、テンプレートデータが格納されたＲＡＭ５１を備えている。ＲＡＭ５１に格納されるテンプレートデータは、所望のＲゲイン係数、Ｇゲイン係数、およびＢゲイン係数を輝度レベル、色相範囲、および彩度レベルごとに並べたテーブルデータである。
【００３３】
ＲＡＭ５１には、テンプレートデータがその輝度レベル、色相範囲、および彩度レベルをアドレスデータとして格納されている。したがって、ＲＡＭ５１を輝度レベル、色相範囲、および彩度レベルに基づいてアクセスすることで、ゲイン係数作成回路１３〜１５は、所望のゲイン係数を容易に生成することができる。
【００３４】
また、テンプレートデータは、容易に書き換えることができるので、ゲイン係数作成回路１３〜１５は、画質モード(例えば、映画モードなど。)に適したゲイン係数を生成するよう構成することができる。
【００３５】
図６は、本発明の実施例１に係わる映像信号処理回路におけるテンプレートデータ作成を示す回路ブロック図である。ここでは、主に、１フレーム期間における画像信号のヒストグラムを抽出して、これをもとにテンプレートデータを作成する部分を示した。
【００３６】
本発明の実施例１に係わる映像信号処理回路におけるテンプレートデータ作成は、フレームメモリ６１、ヒストグラム検出回路６２、ＣＰＵ６３、およびＲＧＢ補正回路６４を備えている。
【００３７】
フレームメモリ６１の第１の入力にはＹ入力からの輝度信号が入力され、第２の入力にはＣｂ入力からの色差信号が入力され、第３の入力にはＣｒ入力からの色差信号が入力されている。フレームメモリ６１の第１の出力は遅延された輝度信号としてＲＧＢ補正回路６４の第１の入力へ供給され、第２の出力は遅延された第１の色差信号としてＲＧＢ補正回路６４の第２の入力へ供給され、第３の出力は遅延された第２の色差信号としてＲＧＢ補正回路６４の第３の入力へ供給されている。
【００３８】
ヒストグラム検出回路６２の第１の入力にはＹ入力からの輝度信号が入力され、第２の入力にはＣｂ入力からの色差信号が入力され、第３の入力にはＣｒ入力からの色差信号が入力され、出力はＣＰＵ６３へ供給されている。
【００３９】
ＣＰＵ６３の出力はテンプレートデータとしてＲＧＢ補正回路６４の第４の入力へ供給されている。
【００４０】
ＲＧＢ補正回路６４の第１の出力は補正されたＲ信号としてＲ出力を介してディスプレイ装置（図示していない。）へ供給され、第２の出力は補正されたＧ信号としてＧ出力を介してディスプレイ装置へ供給され、第３の出力は補正されたＢ信号としてＢ出力を介してディスプレイ装置へ供給されている。
【００４１】
フレームメモリ６１は、入力される１フレーム分の画像データ（輝度信号および２つの色差信号）を一時記憶する。ヒストグラム検出回路６２は、入力される画像データから１フレームごとに輝度信号レベルなどのヒストグラム検出を行い、これをヒストグラムデータとしてＣＰＵ６３へ出力する。ＣＵＰ６３は、ヒストグラムデータを演算処理し、そのフレームに最適なテンプレートデータを生成する。生成されたテンプレートデータは、ＲＧＢ補正回路６４へ供給される。ＲＧＢ補正回路６４は、図１に示した構成で、そのゲイン係数作成回路１３〜１５は図５に示したＲＡＭ５１を有している。ＣＰＵ６３からのテンプレートデータは、ＲＡＭ５１に格納され、そのフレームのゲイン係数として使用される。
【００４２】
このように、１フレームごとにヒストグラムデータを生成することで、本発明の実施例１に係わる映像信号処理回路は、１フレームごとに最適なＲＧＢ補正を行っている。
【００４３】
上記実施例１によれば、原色信号が輝度、彩度レベルおよび色相範囲に応じてＲＧＢそれぞれ独立にゲイン調整されるので、所望の入出力特性を持った映像信号処理回路を実現することができる。
【００４４】
したがって、上記実施例１によれば、従来の白ピークブルー回路やホワイトバランス調整回路での問題点であった、入力信号が持つ本来の明るさより出力が明るい、リミットレベル以上の入力信号時にホワイトバランスが崩れる、人の顔が不健康に見えるなどといったことを容易に改善することができる。
【００４５】
また、上記実施例１によれば、ゲイン係数を画像データのヒストグラム検出を元に１フレームごとに行っているので、画像データにあった適切なＲＧＢ補正を行うことができる。さらに、上記実施例１によれば、ゲイン係数をテンプレートデータとして容易に書き換えることができるので、画質モードにあった自由度の高いＲＧＢ補正を行うことができる。
【実施例２】
【００４６】
図７は、本発明の実施例２に係わる映像信号処理回路を示す回路ブロック図である。ここでは、主に、３つの原色信号の補正にかかわる部分を示した。
【００４７】
本発明の実施例２に係わる映像信号処理回路は、ＲＧＢ変換回路７１、彩度検出回路７２、３つのゲイン係数作成回路７３〜７５（以下、それぞれを「Ｒゲイン係数作成回路７３」、「Ｇゲイン係数作成回路７４」、および「Ｂゲイン係数作成回路７５」という。）、およびＲＧＢゲイン制御回路７６を備えている。
【００４８】
ＲＧＢ変換回路７１の第１の入力にはＹ入力からの輝度信号が入力され、第２の入力にはＣｂ入力からの色差信号が入力され、第３の入力にはＣｒ入力からの色差信号が入力され、ＲＧＢ変換回路７１の第１の出力は第１の原色信号（以下、「Ｒ信号」という。）としてＲＧＢゲイン制御回路７６の第１の入力へ供給され、第２の出力は第２の原色信号（以下、「Ｇ信号」という。）としてＲＧＢゲイン制御回路７６の第２の入力へ供給され、第３の出力は第３の原色信号（以下、「Ｂ信号」という。）としてＲＧＢゲイン制御回路７６の第３の入力へ供給されている。
【００４９】
彩度検出回路７２の第１の入力にはＣｂ入力からの色差信号が入力され、第２の入力にはＣｒ入力からの色差信号が入力され、彩度検出回路７２の出力は彩度レベルデータとしてＲゲイン係数作成回路７３、Ｇゲイン係数作成回路７４、およびＢゲイン係数作成回路７５のそれぞれ第１の入力へ供給されている。
【００５０】
Ｒゲイン係数作成回路７３の第２の入力にはＹ入力からの輝度信号が入力され、Ｒゲイン係数作成回路７３の出力はＲゲイン係数としてＲＧＢゲイン制御回路７６の第４の入力へ供給されている。
【００５１】
Ｇゲイン係数作成回路７４の第２の入力にはＹ入力からの輝度信号が入力され、Ｇゲイン係数作成回路７４の出力はＧゲイン係数としてＲＧＢゲイン制御回路７６の第５の入力へ供給されている。
【００５２】
Ｂゲイン係数作成回路７５の第２の入力にはＹ入力からの輝度信号が入力され、Ｂゲイン係数作成回路７５の出力はＢゲイン係数としてＲＧＢゲイン制御回路７６の第６の入力へ供給されている。
【００５３】
ＲＧＢゲイン制御回路７６の第１の出力は補正されたＲ信号としてＲ出力を介してディスプレイ装置（図示していない。）へ供給され、第２の出力は補正されたＧ信号としてＧ出力を介してディスプレイ装置へ供給され、第３の出力は補正されたＢ信号としてＢ出力を介してディスプレイ装置へ供給されている。
【００５４】
ＲＧＢ変換回路７１およびＲＧＢゲイン制御回路７６の構成、機能、および動作は、実施例１と同様なので説明は省略する。
【００５５】
彩度検出回路７２は、入力される２つの色差信号（Ｃｂ入力、Ｃｒ入力）から彩度レベルを検出し、これを彩度レベルデータとしてゲイン係数作成回路７３〜７５へ出力する。
【００５６】
Ｒゲイン係数作成回路７３は、Ｙ入力からの輝度信号と彩度検出回路７２からの彩度レベルデータとに基づいて、ＲＧＢ変換回路７１が出力するＲ信号に対して一定範囲ごとに入出力特性を補正するＲゲイン係数を生成する。
【００５７】
Ｇゲイン係数作成回路７４およびＢゲイン係数作成回路７５の構成、機能、および動作は、Ｒゲイン係数作成回路７３と同様である。Ｒゲイン係数作成回路７３との違いは、Ｇゲイン係数作成回路７４が、ＲＧＢ変換回路７１からのＧ信号を補正するＧゲイン係数を生成し、Ｂゲイン係数作成回路７５が、ＲＧＢ変換回路７１からのＢ信号を補正するＢゲイン係数を生成することである。
【００５８】
実施例２では、上述したように、ゲイン係数の生成にあたって色相範囲データを使用しないので、実施例１のように複雑で自由度の高いＲＧＢ補正をすることはできない。しかし、その分ゲイン係数回路やＲＧＢゲイン制御回路７６などの構成をシンプルにすることができる。
【００５９】
上記実施例２によれば、原色信号が輝度および彩度レベルに応じてＲＧＢそれぞれ独立にゲイン調整されるので、簡単な回路構成で所望の入出力特性を持った映像信号処理回路を実現することができる。
【００６０】
したがって、上記実施例２によれば、従来の白ピークブルー回路やホワイトバランス調整回路での問題点であった、入力信号が持つ本来の明るさより出力が明るい、リミットレベル以上の入力信号時にホワイトバランスが崩れるといったことを容易に改善することができる。
【図面の簡単な説明】
【００６１】
【図１】本発明の実施例１に係わる映像信号処理回路を示す回路ブロック図。
【図２】本発明の実施例１に係わる映像信号処理回路における補正を示す入出力特性図。
【図３】本発明の実施例１に係わる映像信号処理回路のゲイン係数を示すイメージ図。
【図４】本発明の実施例１に係わる映像信号処理回路のゲイン係数を示す別のイメージ図。
【図５】本発明の実施例１に係わる映像信号処理回路におけるゲイン係数作成回路の詳細を示すイメージ図。
【図６】本発明の実施例１に係わる映像信号処理回路におけるテンプレートデータ作成を示す回路ブロック図。
【図７】本発明の実施例２に係わる映像信号処理回路を示す回路ブロック図。
【図８】従来の白ピークブルー補正を示す輝度特性図。
【図９】従来の白ピークブルー補正を示す入出力特性図。
【図１０】従来のホワイトバランス調整方法を示す入出力特性図。
【符号の説明】
【００６２】
１１、７１  ＲＧＢ変換回路
１２  彩度色相検出回路
１３、７３  Ｒゲイン係数作成回路
１４、７４  Ｇゲイン係数作成回路
１５、７５  Ｂゲイン係数作成回路
１６、７６  ＲＧＢゲイン制御回路
７２  彩度検出回路
【図１】
2006229616.tif 000003
【図２】
2006229616.tif 000004
【図３】
2006229616.tif 000005
【図４】
2006229616.tif 000006
【図５】
2006229616.tif 000007
【図６】
2006229616.tif 000008
【図７】
2006229616.tif 000009
【図８】
2006229616.tif 000010
【図９】
2006229616.tif 000011
【図１０】
2006229616.tif 000012